(57)【要約】【課題】撮影予定の撮影対象が複数ある場合に、未撮影の撮影対象を検索して撮影対象を漏れなく撮影できるようにすること。【解決手段】撮影処理に基づく各商品Ｊ，…それぞれの商品別データメモリ８５ａでの商品管理データの生成処理が終了した後に、未撮影の商品Ｊが存在するかどうかを確認するために、入力装置２９における未撮影確認のためのファンクションキーを操作すると、前記商品別データメモリ８５ａにおいて撮影済フラグが「未」にセットされているところの商品コード，品名が検索され、表示装置３１に紹介表示されると共に、印刷装置３２によりプリントアウトされてオペレータに知らされる。【選択図】　　図１０
2004032818.tif 000002
【特許請求の範囲】
【請求項１】
　撮影予定の撮影対象を示す識別情報を複数記憶する撮影対象記憶手段と、
　任意の撮影対象の識別情報が指定されて画像撮影された際は、その撮影画像データをその識別情報に対応付けて記憶すると共に、その撮影対象が撮影済みであることを上記識別情報に対応付けて記憶させる記憶制御手段と、
　上記各撮影対象の内で未撮影の撮影対象を確認することの指示がなされた際は、上記各識別情報の内で撮影済みであることが対応付けて記憶されていない識別情報を読み出し、その識別情報対応の撮影対象が未撮影であることを報知出力する報知手段と、
　を具備したことを特徴とする撮影制御装置。
【請求項２】
　コンピュータに、
　撮影予定の撮影対象を示す識別情報を複数記憶させる機能と、
　任意の撮影対象の識別情報が指定されて画像撮影された際は、その撮影画像データをその識別情報に対応付けて記憶させると共に、その撮影対象が撮影済みであることを上記識別情報に対応付けて記憶させる機能と、
　上記各撮影対象の内で未撮影の撮影対象を確認することの指示がなされた際は、上記各識別情報の内で撮影済みであることが記憶されていない識別情報を読み出し、その識別情報対応の撮影対象が未撮影であることを報知出力させる機能と、
　を実行させるためのプログラムを記録したコンピュータ読み取り可能な記録媒体。
【発明の詳細な説明】
【技術分野】
【０００１】
　本発明は、撮影対象の画像撮影を制御する撮影制御装置、及び記録媒体に関する。
【背景技術】
【０００２】
　一般に、多種，多様な商品を管理する商品管理システムでは、個々の商品管理は、該商品を撮影した商品画像に対して、商品コード，商品名，寸法，重量等の商品情報を一覧にした商品管理データとして作成し、記憶，保存することで行なわれる。
【０００３】
　このような商品管理データは、管理する当事者により利用されるだけでなく、広告，パンフレット，カタログ等に載せて利用したり、直接、取引先に見せて利用したりするため、商品の画像は、該商品としての魅力が最大限に引き出されるよう上手に撮影する必要がある。
【０００４】
　また撮影予定している商品については、その各商品をきちんと画像撮影しておく必要がある。
【発明の開示】
【発明が解決しようとする課題】
【０００５】
　しかしながら、取り扱う商品の種類も数も非常に多い商品売買の現場において、このような商品管理データの作成作業を全て人為的に行なっていたのでは、その熟練者といえども非常に手間と時間が掛かる問題がある。
【０００６】
　また、撮影予定とする撮影対象の商品の数が多いと、どの商品を撮影したのかをきちんと管理しておかないと、上記撮影予定の商品のうち、どれが未撮影であるのかわからなくなる可能性があり、撮影現場での撮影終了後、後で未撮影を発見して、その対応に苦慮することが考えられる。
【０００７】
　本発明の目的は、撮影予定の撮影対象が複数ある場合に、未撮影の撮影対象を検索して撮影対象を漏れなく撮影できるようにすることである。
【課題を解決するための手段】
【０００８】
　本発明は、撮影予定の撮影対象を示す識別情報を複数記憶する撮影対象記憶手段と、任意の撮影対象の識別情報が指定されて画像撮影された際は、その撮影画像データをその識別情報に対応付けて記憶すると共に、その撮影対象が撮影済みであることを上記識別情報に対応付けて記憶させる記憶制御手段と、上記各撮影対象の内で未撮影の撮影対象を確認することの指示がなされた際は、上記各識別情報の内で撮影済みであることが対応付けて記憶されていない識別情報を読み出し、その識別情報対応の撮影対象が未撮影であることを報知出力する報知手段と、を具備したことを特徴とする。
【発明の効果】
【０００９】
　本発明によれば、撮影予定の撮影対象が複数ある場合に、未撮影の撮影対象を容易に検索でき、未撮影対象を把握することで、撮影対象の漏れなく撮影することができる。
【発明を実施するための最良の形態】
【００１０】
　以下図面により本発明の実施の形態について説明する。
【００１１】
　図１は本発明の実施形態に係わる商品画像データ処理装置の全体の構成を示す図である。
　この商品画像データ処理装置は、商品を撮影するための撮影ボックス１１と、この撮影ボックス１１内に配置された商品を撮影して商品画像を得るデジタルカメラ１２と、撮影ボックス１１及びデジタルカメラ１２における各部の動作を制御し、且つ、該撮影ボックス１１及びデジタルカメラ１２から得られる各種のデータを処理するためのパーソナルコンピュータ（ＰＣ）１３とを備えて構成される。
【００１２】
　撮影ボックス１１は、長方形をしたボックス本体１４と、このボックス本体１４の前面側に取り付けられた撮影フード１５と、この撮影フード１５とボックス本体１４との上部側の境界に取り付けられ該ボックス本体１４の内部を均一に照明するための照明ボックス１６とを組み合わせて構成される。
　撮影ボックス１６の底面における中央後部側には、商品Ｊ（図３参照）を載せて配置するためのステージ１７が設けられ、このステージ１７の後方の背面板１８は、外光取り入れのために、その下端部をヒンジとして回動自在に構成される。
　また、ステージ１７の上方には、撮影対象商品Ｊ（図３参照）に関する重量，寸法，撮影枚数等を表示するための表示面が前面方向を向いた正面撮影用の表示部１９ａ、該ステージ１７の側方には、同様の商品情報を表示するための表示面が上面を向いた天面撮影用の表示部１９ｂが設けられる。
【００１３】
　前記撮影フード１５の前端部にあるレンズ配置窓２０は、その上部側より下部側がボックス本体１４の奥行き方向に向けて深く切り欠かれた楕円の開口形状に形成され、デジタルカメラ１２のレンズ部２１が、正面撮影用のアングルと天面撮影用のアングルとで回動する際の動きを許容するように構成される。
　前記照明ボックス１６は、その内側に複数本の蛍光灯２３ａ，２３ｂ，…を配設して備え、撮影フード１５とボックス本体１４との上部側の境界に設けられた照明回動機構２４を介して、その照明の照射方向がボックス本体１４の底面を向く方向とボックス本体１４の後部を向く方向との間で矢印ａに示すように回動可能に取り付けられる。
　また、前記ステージ１７は、回転機能、昇降機能、計量機能を備えている。
【００１４】
　前記デジタルカメラ１２は、三脚２２によりそのレンズ部２１を前記撮影フード１５のレンズ配置窓２０に合わせて設置され、該三脚２２との間に介在して設けたカメラ回動機構２５により前記正面撮影用のアングルと天面撮影用のアングルとで矢印ｂに示すように回動可能に構成される。
【００１５】
　そして、撮影ボックス１１における照明ボックス１６の回動，点灯，消灯，照度等の制御系、ステージ１７の回転，昇降，計量等の制御系、このステージ１７を介した後述の採寸用台座７１（図５参照）でのサイズ測定の制御系、正面撮影用及び天面撮影用それぞれの表示部１９ａ，１９ｂの制御系は、パーソナルコンピュータ（ＰＣ）１３の本体装置２６に対し、撮影側データ・制御バス２７を介して接続され、また、デジタルカメラ１２におけるアングル設定の回動制御系、フォーカス，アイリス，ズームの制御系は、カメラ側データ・制御バス２８を介して同パーソナルコンピュータ（ＰＣ）１３の本体装置２６に接続される。
【００１６】
　一方、パーソナルコンピュータ（ＰＣ）１３は、外観上、ＰＣ本体２６、キーボードからなる入力装置２９、バーコードを読み取るハンドスキャナ３０、ＣＲＴからなる表示装置３１、プリンタからなる印刷装置３２の組み合わせにより構成されるもので、前記撮影ボックス１１及びデジタルカメラ１２とその周辺における制御系は、全てこのパーソナルコンピュータ（ＰＣ）１３からの指令により制御され、また、前記撮影ボックス１１及びデジタルカメラ１２とその周辺における制御系にて得られた各種のデータは、全てこのパーソナルコンピュータ（ＰＣ）１３に転送されて取り込まれる。
【００１７】
　図２は前記商品画像データ処理装置の照明ボックス１６が取り付けられる照明回動機構２４の構成を示す部分断面図である。
　この照明回動機構２４は、ボックス本体１４側に取り付けられる筒状の固定ヒンジ４１に対して、照明ボックス１６の下端部に取り付けられる筒状の可動ヒンジ４２を回転可能に連結してなるもので、固定ヒンジ４１の筒内に設けられた照明回動用モータ４３の回転が、複数のギア４４，４５，４６を介して可動ヒンジ４２側に伝達され、照明ボックス１６の全体が矢印ｃ（図１中矢印ａ）で示す方向に回動される。
　また、照明回転機構２４は、照明ボックス１６の回動位置を検出する位置センサを備え、この位置センサにより検出される照明ボックス１６の回動位置データは、前記撮影側データ・制御バス２７を介してパーソナルコンピュータ（ＰＣ）１３の本体装置２６に送られる。
【００１８】
　なお、デジタルカメラ１２が取り付けられるカメラ回動機構２５も、前記照明回動機構２４と略同様の機構として構成され、位置センサにより検出される撮影アングルの位置データは、前記カメラ側データ・制御バス２８を介してパーソナルコンピュータ（ＰＣ）１３の本体装置２６に送られる。
【００１９】
　図３は前記商品画像データ処理装置の撮影ボックス１１における商品Ｊの撮影状態を示す側断面図である。
　照明ボックス１６における蛍光灯２３ａ，２３ｂ，…の背面には、反射板５１が設けられ、また、撮影ボックス１１の天井には、鏡５２が取り付けられる。
　そして、撮影ボックス１１の天井は、撮影フード１５におけるレンズ配置窓２０から見て、ステージ１７が鏡５２に映る角度に傾斜して構成される。
【００２０】
　つまり、デジタルカメラ１２が前記カメラ回動機構２５により正面撮影用の水平アングルに設定された状態では、矢印ｄに示す焦点経路で商品Ｊの正面画像が撮影され、また、天面撮影用の傾斜アングルに設定された状態では、矢印ｅに示す鏡５２の反射による焦点経路で商品Ｊの天面画像が撮影される。
【００２１】
　図４は前記商品画像データ処理装置の撮影ボックス１１に設けられたステージ１７の構成を示す図であり、同図（Ａ）は平面外観図、同図（Ｂ）は側面外観図、同図（Ｃ）は縦断面図である。
　ステージ１７の上面には、後述する採寸用台座７１（図５参照）の結合ピン７１ａ〜７１ｄが嵌まり込む結合穴６１ａ〜６１ｄが形成され、また、ステージ１７の外周側面には、白色のホワイトバランス調整枠６２，…が一定間隔で設けられる。
　一方、ステージ１７の上面裏側には、ステージ回転用モータ６３が固着され、このステージ回転用モータ６３の回転ギア６３ａが、ボックス本体１４の底面に立設された回転方向固定の昇降用シャフト６４の上端部の回転用ギア６５に噛合され、ステージ１７は矢印ｆで示す方向に回転される。
【００２２】
　また、前記昇降用シャフト６４の外周面には、昇降用ギア６６が形成され、ボックス本体１４側に固定されたステージ昇降用モータ６７の回転ギア６７ａに噛合され、ステージ１７は矢印ｇで示す方向に昇降される。このステージ昇降用モータ６７の回転制御及び昇降位置の検出は、前記パーソナルコンピュータ（ＰＣ）１３からの指令に基づき昇降コントロールユニット６８により行なわれる。
　また、ステージ１７の上面裏側には、計量用圧電素子６９が設けられる。そして、前記ステージ回転用モータ６３の回転制御、回転位置の検出、及び計量用圧電素子６９による重量の計測は、前記パーソナルコンピュータ（ＰＣ）１３からの指令に基づき回転計量コントロールユニット７０により行なわれる。
【００２３】
　図５は前記商品画像データ処理装置のステージ１７上に着脱される採寸用台座７１の構成を示す図である。
　この採寸用台座７１は、商品Ｊの撮影に伴ない、自動採寸を行なう場合に前記ステージ１７上に載置結合されて使用されるもので、この採寸用台座７１上面の採寸台７２には、帯状に切り欠いた採寸窓７３が形成され、この採寸窓７３には、Ｌ字板状の採寸板７４Ｌ，７４Ｒそれぞれの上端部分が台座７１の内部から挿通され該採寸窓７３の長さ方向にスライド可能に配置される。
【００２４】
　そして、前記採寸板７４Ｌ，７４Ｒはそれぞれ、図示しない採寸用モータの回転軸７５からの回転が回転ギア７６からスライドギア７７Ｌ，７７Ｒに伝達されて矢印ｈ１，ｈ２で示す互いに近付く方向にスライドしたり、矢印ｉ１，ｉ２で示す互いに離れる方向にスライドするもので、前記採寸用モータの回転軸７５にはエンコーダ７８が取り付けられ、矢印ｊで示す回転量が計測され、この回転量は前記採寸板７４Ｌ，７４Ｒのスライドに伴なう移動距離の計測データとして撮影側データ・制御バス２７を介しパーソナルコンピュータ（ＰＣ）１３へ送られる。
【００２５】
　つまり、前記採寸用台座７１において、採寸台７２における採寸窓７３の長さは予め既知であり、この採寸窓７３の両端に位置させた採寸板７４Ｌ，７４Ｒをスライドさせて商品Ｊを挟み付けて止まるまでの移動距離を前記エンコーダ７８により計測することで、商品Ｊの幅Ｗが算出される。そして、商品Ｊの高さＨ，奥行Ｄは、デジタルカメラ１２により撮影された商品Ｊの正面画像及び側面画像のエッジ検出による前記採寸された幅Ｗに対する高さＨ及び奥行Ｄの割合に基づき算出される。
【００２６】
　なお、前記採寸用台座７１の採寸板７４Ｌ，７４Ｒにより商品Ｊを挟み付けて採寸を行なった際には、該商品Ｊは必然的に採寸台７２の中央、すなわち、ステージ１７上の中央に配置されたことになる。
【００２７】
　図６は前記商品画像データ処理装置のパーソナルコンピュータ（ＰＣ）１３を中心とする電子回路の構成を示すブロック図である。
【００２８】
　パーソナルコンピュータ（ＰＣ）１３は、コンピュータ等からなる制御部（ＣＰＵ）８１を備えている。
　制御部（ＣＰＵ）８１は、キーボードからなる入力装置２９やハンドスキャナ３０及び撮影側，カメラ側の各データ・制御バス２７，２８を介して入力される各種の入力データに応じて、記憶装置８２内のＲＯＭに予め記憶されているシステムプログラムを起動させ、あるいは外部記録媒体（記憶媒体）８３に予め記憶されている商品管理データ作成制御用プログラムや通信回線８４を介して受信される各種制御用プログラムを記憶装置８２内のＲＡＭに読み込んで起動させ、ＲＡＭ８５をワークメモリとして回路各部の動作制御を行なうものである。
　この制御部（ＣＰＵ）８１には、前記入力装置２９、ハンドスキャナ３０、記憶装置８２、通信回線８４、ＲＡＭ８５の他、表示装置３１、印刷装置３２、そして、撮影ボックス１１及びデジタルカメラ１２の各制御系が接続される。
【００２９】
　入力装置２９のキーボードには、例えば汎用されるパーソナルコンピュータと同種のキーボードが使用されるもので、テンキーや文字キー，実行キー，カーソルキー、各種ファンクションキー等が備えられる。
【００３０】
　記憶装置８２は、半導体メモリからなるＲＯＭを備えると共に、フロッピディスクドライバ等の外部記録媒体（記憶媒体）８３の読み込み装置、ハードディスク装置等のＲＡＭを備えている。
【００３１】
　例えば前記記憶装置８２のＲＯＭには、本商品画像データ処理装置における全体の処理を司るシステムプログラムデータが予め記憶されると共に、図１２に示す学習処理、図１３に示す検品処理、図１４〜図１７に示す撮影・採寸処理、図１８に示す未撮影商品確認処理等、各種の動作モードの処理を司るサブプログラムデータである制御プログラムデータも予め記憶される。
【００３２】
　図７は前記パーソナルコンピュータ（ＰＣ）１３のＲＡＭ８５におけるデータメモリの構成を示す図である。
【００３３】
　ＲＡＭ８５には、商品別データメモリ８５ａ（図１０参照）、フォト分類コードメモリ８５ｂ（図８参照）、学習データメモリ８５ｃ（図９参照）、画像データメモリ８５ｄ（図１１参照）、ワークメモリ８５ｅ等が備えられる。
【００３４】
　図８は前記パーソナルコンピュータ（ＰＣ）１３のＲＡＭ８５に確保されるフォト分類コードメモリ８５ｂのデータ内容を示す図である。
【００３５】
　フォト分類コードメモリ８５ｂには、撮影対象商品の容器／中身の見える範囲に関し、素材，色合い１，色合い２，てかり，中身色１，中身色２それぞれにおける多数の分類が分類コード０，１，…，Ｘに対応付けられて予め記憶されるもので、例えばある商品の容器の素材が「ガラス」、容器の色合いが「透明」、中身の色が「黄色」と「白」である場合のフォト分類種別コードは、“１０ＸＸ３０”となる。
【００３６】
　図９は前記パーソナルコンピュータ（ＰＣ）１３のＲＡＭ８５に確保される学習データメモリ８５ｃのデータ内容を示す図である。
【００３７】
　この学習データメモリ８５ｃには、学習処理（図１２参照）に伴ないプロのカメラマンあるいは商品撮影の熟練者により商品の撮影を行なった際に得られた正面撮影時、天面撮影時、側面撮影時等、対象商品の各面撮影時それぞれにおける照明回動機構２４の照明回動用モータ４３（Ｍ１）、カメラ回動機構２５のカメラアングル回動用モータ（Ｍ２）、デジタルカメラ１２のフォーカス調整用モータ（Ｍ３），アイリス調整用モータ（Ｍ４），ズーム調整用モータ（Ｍ５）、ステージ１７のステージ回転用モータ６３（Ｍ６），ステージ昇降用モータ６７（Ｍ７）等、この商品画像データ処理装置に含まれる全ての回転機構において検出された回転位置データＸ，Ｙ，…，Ｐが、対象商品のサイズ（Ｗ，Ｈ，Ｄ）、フォト分類種別コードに対応付けられて記憶される。
【００３８】
　図１０は前記パーソナルコンピュータ（ＰＣ）１３のＲＡＭ８５に確保される商品別データメモリ８５ａのデータ内容を示す図である。
【００３９】
　この商品別データメモリ８５ａには、検品処理（図１３参照）において入力された撮影対象商品の商品コード，品名，単価に対応して、撮影・採寸処理（図１４〜図１７参照）において入力されるサイズ（Ｗ，Ｈ，Ｄ），重量，フォト分類種別コード，各撮影面毎の撮影画像のメモリアドレス（Ｎｏ），撮影済みか未撮影かを示す撮影済みフラグが記憶される。
【００４０】
　図１１は前記パーソナルコンピュータ（ＰＣ）１３のＲＡＭ８５に確保される画像データメモリ８５ｄのデータ内容を示す図である。
【００４１】
　この画像データメモリ８５ｄには、撮影処理（図１４〜図１７）において撮影された全ての商品それぞれの各面毎の撮影画像データが個々のメモリアドレス（Ｎｏ）に対応付けられて記憶される。
【００４２】
　次に、前記構成による商品画像データ処理装置の動作について説明する。
【００４３】
　図１２は前記商品画像データ処理装置における学習処理をフローチャートである。
【００４４】
　この学習処理では、プロカメラマンあるいは商品撮影の熟練者により予め多種多様な商品画像の撮影を行ない、各商品画像の撮影毎、各撮影面毎の最適な画像取り込み状態での、この商品画像データ処理装置に含まれる全ての回転機構において検出された回転位置データを記憶し、学習データメモリ８５ｃを生成する。
【００４５】
　ある商品を撮影ボックス１１内のステージ１７上においてデジタルカメラ１２を撮像状態とし、入力装置２９における学習処理実行の指示により、図１２における学習処理が起動されると、デジタルカメラ１２により撮像されてパーソナルコンピュータ（ＰＣ）１３に取り込まれ、表示装置３１にモニタ表示されている商品画像データの縦及び横方向の画素数が画像エッジの検出により求められ、この撮像画像の縦及び横の画素数が、それぞれ撮像画像の全体の縦及び横の画像数の８０％〜９０％の範囲であるか否か判断される（ステップＳ１）。
【００４６】
　ここで、撮像画像の全体の縦／横画素数に対する商品画像の縦／横画素数の占める割合が、８０％未満と小さいと判断された場合、あるいは９０％より大きいと判断された場合には、デジタルカメラ１２内のズーム調整用モータがパーソナルコンピュータ（ＰＣ）１３からの指令により駆動されて撮像画像がズームアップあるいはズームダウンされ、８０％〜９０％の範囲ないに調整される（ステップＳ１→Ｓ２）。
【００４７】
　つまり、ステージ１７上に置かれた商品が「ねじ」等のように小さい場合、あるいは「ドックフード」等のように大きい場合の何れであっても、撮像画像の全体に占める商品画像の割合が最適な割合（８０％〜９０％）に一定に調整されるもので、こうして、撮像画像の全体に占める商品画像の割合が最適な割合に設定されると、デジタルカメラ１２におけるフォーカス，アイリス，撮影アングル、及びステージ１７の回動，昇降位置、照明ボックス１６の回動位置、背板１８の回動位置それぞれの調整をオペレータに促すメッセージデータが表示装置３１に表示される（ステップＳ１→Ｓ３）。
【００４８】
　オペレータは、表示装置３１に撮像表示される商品画像を見ながら、入力装置２９におけるキー入力操作により照明回動機構２４の照明回動用モータ４３（Ｍ１）、カメラ回動機構２５のカメラアングル回動用モータ（Ｍ２）、デジタルカメラ１２のフォーカス調整用モータ（Ｍ３），アイリス調整用モータ（Ｍ４）、ステージ１７のステージ回転用モータ６３（Ｍ６），ステージ昇降用モータ６７（Ｍ７）等、この商品画像データ処理装置に含まれる各回転機構に指令信号を送り、最適な撮像状態となるように調整するもので（ステップＳ３→Ｓ４→Ｓ３）、ここで、一旦シャッタキーを操作して撮像画像が確定表示された状態で、最適な撮像画像状態であることが確認され、入力装置２９における実行キーが操作されると（ステップＳ５→Ｓ６）、前記各回転機構の制御系において検出されて取り込まれる各モータＭ１，Ｍ２，…の回転位置データＸ，Ｙ，…が、それぞれＲＡＭ８５内の学習データメモリ８５ｃ（図９参照）に記憶される（ステップＳ６→Ｓ７）。
【００４９】
　この際、ステージ１７の回動位置が初期位置で且つデジタルカメラ１２のアングル位置が正面撮影位置である場合には、正面撮影用の各モータ位置データとして、また、デジタルカメラ１２のアングル位置が天面撮影位置である場合には、天面撮影用の各モータ位置データとして、また、ステージ１７の回動位置が初期位置から９０度の回転位置である場合には、側面撮影用の各モータ位置データとして、また、ステージ１７の回動位置が初期位置から１８０度の回転位置である場合には、背面撮影用の各モータ位置データとして、それぞれ前記学習データメモリ８５ｃに記憶される（ステップＳ７）。
【００５０】
　そして、前記各回動機構の回転位置データを学習データとして保存した商品の商品サイズ（Ｗ，Ｈ，Ｄ）を、入力装置２９により入力すると、入力された商品サイズデータは、前記学習データメモリ８５ｃに入力保存された各回動機構の回転位置データに対応付けられて記憶される（ステップＳ８）。
【００５１】
　また、表示装置３１に対し、ＲＡＭ８５内のフォト分類コードメモリ８５ｂ（図８参照）から読み出されて表示されるフォト分類コードデータに従って、今回学習した商品の容器，中身の種別であるフォト分類種別コードを６桁入力すると、入力されたフォト分類種別コードデータが、さらに前記学習データメモリ８５ｃに入力保存された各回動機構の回転位置データに対応付けられて記憶される（ステップＳ９）。
【００５２】
　この後、同一商品の各面、及び他の多種多様な商品のそれぞれについて、前記学習処理を繰り返し実行することで、ＲＡＭ８５内の学習データメモリ８５ｃには、各商品毎，各撮影面毎のそれぞれ最適な撮影状態を再現するための各回動機構の回転位置データが、各商品の商品サイズ及びフォト分類種別コードに対応付けられて記憶され蓄積される。
【００５３】
　図１３は前記商品画像データ処理装置における検品処理を示すフローチャートである。
【００５４】
　この検品処理では、商品管理の対象となる全種類の商品の商品コードを品名，単価を対応付けて順次バーコード入力し、ＲＡＭ８５内の商品別データメモリ８５ａにて（図１０参照）画像撮影の対象となる各商品のインデックスを生成する。
【００５５】
　商品管理の対象となる商品の容器に付されたバーコードを、ハンドスキャナ３０により読み取って入力すると、入力されたバーコードデータがＲＡＭ８５内の商品別データメモリ８５ａの管理データとして既に存在するか否か判断される（ステップＡ１，Ａ２）。
【００５６】
　ここで、前記入力された商品のバーコードデータは新たに入力されたもので、商品別データメモリ８５ａの管理データとして既に存在するものではないと判断されると、当該商品別データメモリ８５ａに対して入力されたバーコードデータが商品コードとして記憶されると共に、この商品コードと共に、入力装置２９により入力された品名，単価の各商品データが対応付けられて記憶される（ステップＡ２→Ａ３）。
【００５７】
　そして、順次新たな商品のバーコードデータが入力される状態では、ステップＡ１〜Ａ４の処理が繰り返され、各商品毎にその商品コード，品名，単価の各データが対応付けられて商品別データメモリ８５ａに記憶される。
【００５８】
　一方、前記ステップＡ１においてハンドスキャナ３０によりバーコード入力された商品コードが、商品別データメモリ８５ａにおいて既に記憶されていると判断された場合には、当該商品コードに対応付けられて記憶されている商品画像のメモリアドレスに基づき、対応する商品の画像データが画像データメモリ８５ｄ（図１１参照）から読み出されて表示装置３１に表示される（ステップＡ２→Ａ５）。
【００５９】
　ここで、前記ステップＡ１におけるバーコード入力の対象商品と、商品別データメモリ８５ａ内に既に記憶されている同一商品コードに対応付けられた商品の画像とが、例えばその容器が変更されていることにより異なり、再撮影の必要ありとして入力装置２９において再撮影の指定が行なわれると、該商品別データメモリ８５ａ内で対応付けられた撮影済フラグが、「済」→「未」にリセットされる（ステップＡ６→Ａ７）。
【００６０】
　また、例えば誤った検品等により、入力装置２９により撮影が不要であるとの指定がなされた場合には、次の検品対象となる商品のバーコード入力処理に移行される（ステップＡ８→Ａ４→Ａ１）。
【００６１】
　そして、前記ステップＡ１〜Ａ８における何れかの処理が、各商品毎のバーコード入力毎に繰り返し実行され、全ての商品に対する検品作業が終了すると、入力装置２９における「確定」キーの操作に伴ない前記一連の検品処理が終了され、全ての商品それぞれの商品コード，品名，単価からなる商品別データメモリ８５ｄ上での商品インデックスが作成される。
【００６２】
　図１４は前記商品画像データ処理装置における撮影処理を示すフローチャートである。
【００６３】
　図１５は前記商品画像データ処理装置における撮影処理に伴なう自動採寸処理を示すフローチャートである。
【００６４】
　図１６は前記商品画像データ処理装置における撮影処理に伴なうシャッタ処理を示すフローチャートである。
【００６５】
　図１７は前記商品画像データ処理装置における撮影処理に伴なう撮影済対応処理を示すフローチャートである。
【００６６】
　前記図１３における検品処理が終了した後に、撮影対象となる商品のバーコードを、ハンドスキャナ３０により読み取った後に、当該商品を撮影ボックス１１内のステージ１７上に載せると、このステージ１７の裏側に取り付けられた計量用圧電素子６９により商品の重量が計測（採寸用台座，商品センタリング機構等の載置装置の種類は自動検出されるようになっており、その種類に応じた重量を減算することで商品の重量を求める。）されてパーソナルコンピュータ（ＰＣ）１３に転送され、ＲＡＭ８５内の商品別データメモリ８５ａに対し、前記バーコード入力された商品コードと対応付けられて記憶される（ステップＢ１，Ｂ２，Ｂ３）。
【００６７】
　これと共に、前記計測された商品の重量データは、撮影ボックス１１内の表示部１９ａ，１９ｂに表示される（ステップＢ４）。
【００６８】
　ここで、商品別データメモリ８５ａ内の該当商品コードに対応付けられた撮影済フラグが「済」であるか「未」かに応じて、既に撮影済みの商品か否か判断されるもので、前記撮影済フラグが「未」であることで撮影済みでないと判断されると、自動採寸を行なうか否かの指定を促すメッセージデータが表示装置３１に表示される（ステップＢ５→Ｂ６）。
【００６９】
　この際、自動採寸の指定を行なわずに、対象商品のサイズ（Ｗ，Ｈ，Ｄ）を入力装置２９を操作してマニュアルで入力すると、入力された商品サイズデータが商品別データメモリ８５ｂの該当商品コードに対応付けられて登録されると共に、撮影ボックス１１内の表示部１９ａ，１９ｂに表示される（ステップＢ６→Ｂ７，Ｂ８）。
【００７０】
　一方、前記ステップＢ６において、対象商品に対する自動採寸の指定が行なわれると、図１５における自動採寸処理に移行される（ステップＢ６→ＢＣ）。
【００７１】
　この自動採寸の指定を行なう場合、撮影ボックス１１内のステージ１７上には、採寸用台座７１（図５参照）が予めセットされており、ステップＢ１においてバーコード入力された撮影対象商品は、この採寸用台座７１の採寸台７２上に載せられる。
【００７２】
　すなわち、この自動採寸処理が開始されると、まず、図示しない採寸用モータが駆動されて採寸板７４Ｌ，７４Ｒがそれぞれ採寸窓７３の両端位置から矢印ｈ１，ｈ２で示す互いに近付く方向に移動され、商品Ｊ（被写体）がその左右両側から挟み付けられると共に、採寸台７２の中央に配置（センタリング）される（ステップＣ１）。
【００７３】
　すると、エンコーダ７８からパーソナルコンピュータ（ＰＣ）１３に転送される前記採寸板７４Ｌ，７４Ｒのスライドに伴なう移動距離の計測データに基づき、商品Ｊの幅Ｗが算出され（ステップＣ２）、この後、前記採寸板７４Ｌ，７４Ｒが矢印ｉ１，ｉ２で示す互いに離れる方向に移動され、再び採寸窓７３の両端位置にリセットされる（ステップＣ３）。
【００７４】
　ここで、前記採寸台７２の中央にセットされた商品Ｊ（被写体）がデジタルカメラ１２により一旦撮影され、その商品画像データがパーソナルコンピュータ（ＰＣ）１３に読み込まれ、ＲＡＭ８５内のワークメモリ８５ｅに書き込まれると共に、表示装置３１にモニタ表示される（ステップＣ４，Ｃ５）。
【００７５】
　すると、前記ＲＡＭ８５内のワークメモリ８５ｅに書き込まれた商品Ｊ（被写体）の画像データに対し、ＸＹ座標が割り当てられ、商品画像の幅方向のエッジに対応するＸ座標（ＸStart 〜Ｘend ）が検出される（ステップＣ６，Ｃ７）。
【００７６】
　そして、前記ステップＣ２にて得られた商品Ｊの幅Ｗが前記ステップＣ７にて得られた商品画像の幅方向に対応するＸ座標数により除算され、単位座標当りの寸法が算出される（ステップＣ８）。
【００７７】
　すると、さらに、商品画像の高さ方向のエッジに対応するＹ座標（ＹStart 〜Ｙend ）が検出されると共に、当該高さ方向のエッジ検出位置が表示装置３１にポインタ表示される（ステップＣ９，Ｃ１０）。
【００７８】
　ここで、表示装置３１にポインタ表示された商品画像の高さ方向のエッジ検出位置が、当該モニタ表示されている商品画像の高さ位置と一致しない場合には、ポインタ位置がキー操作により適宜上下方向に移動され、この高さ方向のエッジ検出位置が修正される（ステップＣ１１）。
【００７９】
　すると、前記ステップＣ８において算出された単位座標当りの寸法が、前記ステップＣ９〜Ｃ１１において検出，修正表示された高さ方向のエッジポインタ間に相当するＹ座標数で乗算され、商品Ｊの高さＨが算出される（ステップＣ１２，Ｃ１３）。
【００８０】
　すると、前記ステップＣ２にて得られた商品Ｊの幅Ｗの寸法データ、及びステップＣ１３にて得られた商品Ｊの高さＨの寸法データが、それぞれ商品別データメモリ８５ｂ内の該当商品コードに対応付けられて登録される（ステップＣ１４）。
【００８１】
　そして、前記自動採寸処理に伴ない商品別データメモリ８５ｂに登録された商品Ｊの寸法データは、撮影ボックス１１内の表示部１９ａ，１９ｂに表示される（ステップＢＣ→Ｂ８）。
【００８２】
　こうして、バーコード入力された商品別データメモリ８５ａでの商品コードに対応させて、商品Ｊの重量計測，登録，表示、寸法計測，登録，表示が行なわれると、表示装置３１に対し、ＲＡＭ８５内のフォト分類コードメモリ８５ｂ（図８参照）から読み出されて表示されるフォト分類コードデータに従って、商品Ｊの容器，中身の種別であるフォト分類種別コードが６桁入力されて、商品別データメモリ８５ａに登録される（ステップＢ９）。
【００８３】
　この撮影対象商品Ｊに対するフォト分類種別コードの入力，登録が完了すると、当該登録したフォト分類種別コードと一致あるいは最も近い学習データメモリ８５ｃに記憶されているフォト分類種別コードが検索され、当該フォト分類種別コードに対応付けられた正面撮影時の各モータＭ１，Ｍ２，…に対する回転位置制御データが読み出される（ステップＢ１０→Ｂ１１）。
【００８４】
　すると、ＲＡＭ８５内のワークメモリ８５ｅに確保された枚数カウンタメモリｎに“１”がセットされ、撮影ボックス１１内の表示部１９ａ，１９ｂに対して撮影枚数“１”として表示される（ステップＢ１２，Ｂ１３）。
【００８５】
　そして、前記学習データメモリ８５ｃから撮影対象商品Ｊのフォト分類種別コードに応じて読み出された正面撮影時の各モータＭ１，Ｍ２，…に対する回転位置制御データＸ１，Ｙ１，…に従って、照明回動機構２４の照明回動用モータ４３（Ｍ１）、カメラ回動機構２５のカメラアングル回動用モータ（Ｍ２）、デジタルカメラ１２のフォーカス調整用モータ（Ｍ３），アイリス調整用モータ（Ｍ４）、ステージ１７のステージ回転用モータ６３（Ｍ６），ステージ昇降用モータ６７（Ｍ７）等、各回動機構のモータが駆動制御され、当該商品Ｊの正面撮影に最適な撮影状態にセットされると、図１６におけるシャッタ処理に移行される（ステップＢ１４，Ｂ１５→ＢＤ）。
【００８６】
　すなわち、このシャッタ処理では、まず、前記同一フォト分類種別コードの学習データに従って撮影装置の各回動機構が制御された状態で、デジタルカメラ１２により撮像されてパーソナルコンピュータ（ＰＣ）１３に転送され表示装置３１にモニタ表示されている商品Ｊの正面画像が、最適なモニタ状態であるか否かオペレータにより判断される（ステップＤ１）。
【００８７】
　ここで、商品Ｊの正面画像のモニタ状態が最適でないと判断された場合に、照明ボックス１６，デジタルカメラ１２，ステージ１７等の各回動機構の中で任意の回動機構のモータを微調整により駆動し、商品Ｊの正面モニタ画像の撮像状態を変更すると、今回の撮影対象商品Ｊに関し最初の撮像状態の微調整操作であるか否かが判断され、最初の微調整操作であると判断された場合には、ＲＡＭ８５内の学習データメモリ８５ｃ内の空きエリアに、新規学習データの登録エリアが確保される（ステップＤ１→Ｄ２，Ｄ３→Ｄ４）。
【００８８】
　そして、この学習データメモリ８５ｃ内の空きエリアに新たに確保された新規学習データの登録エリアに対して、前記微調整後の各回動機構の回転位置データが記憶されるもので（ステップＤ５）、この後、同一商品Ｊに対する他の回動機構の微調整操作が続けて行なわれた場合には、学習データメモリ８５ｃに対する新規の学習データ登録エリアの確保処理は行なわれず、当該商品Ｊに対する最初の回動機構の微調整操作に伴ない確保された学習データ登録エリアに順次各対応する回動機構微調整後の各回転位置データが順次記憶登録される（ステップＤ２→Ｄ３→Ｄ５）。
【００８９】
　これにより、実際の撮影処理の段階で、学習データメモリ８５ｃに既に存在する学習データとは異なる各回動機構の最適なモータ位置制御データが得られた場合には、その一連のモータ位置制御データＭ１，Ｍ２，…が新たな１つの学習データとして学習データメモリ８５ｃに追加登録される（ステップＤ１〜Ｄ５）。
【００９０】
　そして、前記撮影対象商品Ｊの正面画像のモニタ状態が最適であると判断された場合に、入力装置２９におけるシャッタキーが操作されると、デジタルカメラ１２におけるシャッタ動作時に対応する商品Ｊの正面の撮影画像データが取り込まれ、表示装置３１に対して固定表示される（ステップＤ１→Ｄ６）。
【００９１】
　すると、前記ステップＢ６における自動採寸指定による商品サイズの自動採寸処理（ステップＢＣ）を行なったか否か、つまり、採寸用台座７１を使用しているか否か判断されるもので、ここで、前記自動採寸処理による商品サイズの自動採寸処理を行なったと判断されると、デジタルカメラ１２により撮像されて表示装置３１に取り込まれている商品Ｊの正面撮影画像データの中で、採寸用台座７１に相当する部分の画像データが背景部分の画像データに置き換えられて画像補正される（ステップＤ７→Ｄ８）。
【００９２】
　そして、今回の商品Ｊの撮影対象面が、天面である場合には、前記取り込み画像の画像反転処理が行なわれ、天面撮影に伴なう鏡５２の反射による反転撮影画像がさらに反転補正されて正しい天面撮影画像に戻される（ステップＤ９→Ｄ１０）。
【００９３】
　こうして、まず、商品Ｊの正面の撮影に伴なうシャッタ処理が終了すると、当該正面撮影の画像データがＲＡＭ８５内の画像データメモリ８５ｄに記憶されると共に、その画像データメモリ８５ｄのメモリアドレス（Ｎｏ）が、商品別データメモリ８５ａ内の前記バーコード入力された商品コードに対応付けられて記憶される（ステップＢＤ→Ｂ１６）。
【００９４】
　すると、撮影対象商品Ｊにおける撮影の必要な各面全ての画像の取り込みを行なったか否かを表示部１９ａ，１９ｂに表示されている撮影枚数に応じて判断し、この場合、さらに、商品Ｊの天面，側面，背面等の画像の取り込みを行なう必要があるため、入力装置２９における「Ｎ」キーが操作されると、次の撮影面、つまり、学習データメモリ８５ｃに記憶されている該当フォト分類種別コードに対応付けられた天面撮影時の各モータＭ１，Ｍ２，…に対する回転位置制御データが読み出される（ステップＢ１７→Ｂ１８）。
【００９５】
　すると、ＲＡＭ８５内のワークメモリ８５ｅに確保された枚数カウンタメモリｎのカウント枚数が（＋１）され“２”にカウントアップされ、撮影ボックス１１内の表示部１９ａ，１９ｂに対して撮影枚数“２”として表示される（ステップＢ１９→Ｂ１３）。
【００９６】
　そして、前記学習データメモリ８５ｃから撮影対象商品Ｊのフォト分類種別コードに応じて読み出された天面撮影時の各モータＭ１，Ｍ２，…に対する回転位置制御データＸ２，Ｙ２，…に従って、照明回動機構２４の照明回動用モータ４３（Ｍ１）、カメラ回動機構２５のカメラアングル回動用モータ（Ｍ２）、デジタルカメラ１２のフォーカス調整用モータ（Ｍ３），アイリス調整用モータ（Ｍ４）、ステージ１７のステージ回転用モータ６３（Ｍ６），ステージ昇降用モータ６７（Ｍ７）等、各回動機構のモータが駆動制御され、当該商品Ｊの正面撮影に最適な撮影状態にセットされると、再び図１６におけるシャッタ処理に移行される（ステップＢ１４，Ｂ１５→ＢＤ）。
【００９７】
　そして、図１６におけるステップＤ１〜Ｄ１０の処理を経て、商品Ｊの天面の撮影に伴なうシャッタ処理が終了すると、当該天面撮影の画像データがＲＡＭ８５内の画像データメモリ８５ｄに記憶されると共に、その画像データメモリ８５ｄのメモリアドレス（Ｎｏ）が、商品別データメモリ８５ａ内の前記バーコード入力された商品コードに対応付けられて記憶される（ステップＢＤ→Ｂ１６）。
【００９８】
　この後、さらに、ステップＢ１７〜Ｂ１９→Ｂ１３〜Ｂ１６における商品Ｊの各撮影面毎の撮影枚数のカウントアップ表示処理、学習データに基づく最適モータ回転位置制御処理、シャッタ処理による対応撮影面の画像取り込み記憶処理が順次繰り返されることで、ステップＢ１７において、撮影対象商品Ｊにおける撮影の必要な各面全ての画像の取り込みを行なったとの判断により、入力装置２９における「Ｙ」キーが操作されると、この撮影モードの処理を終了するか否かの判断をオペレータに促すメッセージデータが表示装置３１に表示される（ステップＢ１７→Ｂ２０）。
【００９９】
　ここで、次の商品Ｊの画像の撮影が必要であり、撮影モードの処理を終了しない場合に、入力装置２９における「Ｎ」キーが操作されると、１つの商品Ｊの予め定められた画像の取り込みが完了したことを示すメッセージデータが表示装置３１に表示され、商品別データメモリ８５ａにおける該当する商品コードに対応付けられた撮影済フラグが「済」にセットされる（ステップＢ２０→Ｂ２１，Ｂ２２）。
【０１００】
　すると、再び、ステップＢ１からの次なる撮影対象商品Ｊのバーコード入力処理からの撮影処理に戻り、前記同様に、該当商品Ｊに対する計量，採寸，各撮影面毎の最適画像の取り込み処理による商品別データメモリ８５ａでの商品管理データの生成処理が繰返される（ステップＢ１〜Ｂ２２）。
【０１０１】
　一方、前記ステップＢ１において、次に撮影しようとしてバーコード入力した商品Ｊの商品コードに対応する商品別データメモリ８５ａ内の撮影済フラグが既に「済」にセットされており、商品管理データの生成が済んでいる商品Ｊであると判断されると、図１７における撮影済対応処理に移行され、まず、該当商品Ｊが既に撮影済であることを示すメッセージデータが表示装置３１に表示される（ステップＢ５→Ｂ２３）。
【０１０２】
　そして、ＲＡＭ８５内のワークエリア８５ｅ等に記憶されている不要なデータがクリアされ、次なる撮影対象商品Ｊの撮影準備がなされた後、ステップＢ２０を経て、撮影モードを終了するか（ステップＢ２４→Ｂ２０→ＥＮＤ）、次なる撮影対象商品Ｊのバーコード入力処理からの撮影処理に戻り、前記同様に、該当商品Ｊに対する計量，採寸，各撮影面毎の最適画像の取り込み処理による商品別データメモリ８５ａでの商品管理データの生成処理が繰返される（ステップＢ２４→Ｂ２０〜Ｂ２２）。
【０１０３】
　この後、全ての撮影対象商品Ｊ，…に関する商品管理データの生成が済んだことで、ステップＢ２０において、撮影モードの処理を終了するか否かの判断をオペレータに促すメッセージデータが表示装置３１に表示された際に、入力装置２９における「Ｙ」キーが操作されると、前記一連の撮影処理が終了される。この場合、今撮影した商品と対応する撮影済フラグを「済」にして（図示せず）から終了する（ステップＢ２０→ＥＮＤ）。
【０１０４】
　図１８は前記商品画像データ処理装置における未撮影商品確認処理を示すフローチャートである。
【０１０５】
　すなわち、前記図１４〜図１７における撮影処理に基づく各商品Ｊ，…それぞれの商品別データメモリ８５ａでの商品管理データの生成処理が終了した後に、未撮影の商品Ｊが存在するかどうかを確認するために、入力装置２９における未撮影確認のためのファンクションキーを操作すると、前記商品別データメモリ８５ａにおいて撮影済フラグが「未」にセットされているところの商品コード，品名が検索され、表示装置３１に紹介表示されると共に、印刷装置３２によりプリントアウトされてオペレータに知らされる（ステップＥ１，Ｅ２）。
【０１０６】
　これにより、商品管理データの生成を要する全ての撮影対象商品Ｊ，…を、漏れなく撮影処理において計量，採寸，画像取り込みの処理を行ない、商品管理データとして生成し商品別データメモリ８５ａにて管理できるようになる。
【０１０７】
　したがって、前記構成の商品画像データ処理装置によれば、パーソナルコンピュータ（ＰＣ）１３に接続されたハンドスキャナ３０により商品Ｊの商品コードをバーコード入力し、該パーソナルコンピュータ（ＰＣ）１３からの指令により、照明角度，商品配置，撮影フォーカス，撮影アイリス，撮影ズーム，撮影アングル，シャッタ等の各撮影条件が制御される撮影ボックス１１内のステージ１７に置かれた該当商品Ｊをビデオカメラ１２により撮影してその商品画像データをパーソナルコンピュータ（ＰＣ）１３に取り込むと、ＲＡＭ８５内の画像データメモリ８５ｄに当該商品Ｊの撮影画像データが記憶されると共に、商品別データメモリ８５ａに対して前記バーコード入力された商品コードと対応付けられて前記商品Ｊの画像データを記憶したメモリアドレスが記憶されるので、多種多様な商品Ｊ，…それぞれの商品コードのバーコード入力作業と該商品Ｊの撮影作業を繰り返すだけで、非常に簡単に商品コードに商品画像データを対応付けた商品管理データを生成できるようになる。
【０１０８】
　また、前記構成の商品画像データ処理装置によれば、パーソナルコンピュータ（ＰＣ）１３の入力装置２９において、多種多様な商品Ｊ，…それぞれの容器や中身の特徴をコード化したフォト分類種別コードを入力するのに伴ない、その個々の商品Ｊ，…をそれぞれ撮影ボックス１１内のステージ１７上におき、パーソナルコンピュータ（ＰＣ）１３からの指令により、照明ボックス１６の照明角度，ステージ１７における商品配置位置，デジタルカメラ１２におけるフォーカス，アイリス，ズーム，アングル等の各撮影条件を最適に制御すると、前記各撮影条件を設定する制御位置データが検出され前記入力されたフォト分類種別コードと対応付けられてＲＡＭ８５内の学習データメモリ８５ｃに記憶される。そして、実際の商品管理データを作成する際に、対象商品Ｊの商品コードをハンドスキャナ３０によりバーコード入力して該商品Ｊを撮影ボックス１１内のステージ１７上に載せ、そのフォト分類種別コードを入力すると、入力されたフォト分類コードに対応して前記学習データメモリ８５ｃに記憶されている各撮影条件毎の制御位置データに従い、照明ボックス１６の照明角度，ステージ１７における商品配置位置，デジタルカメラ１２におけるフォーカス，アイリス，ズーム，アングル等の各撮影条件が最適に制御されて商品Ｊが撮影され、この撮影画像データが前記バーコード入力された商品コードと対応付けられて商品別データメモリ８５ａに記憶されて管理されるので、多種多様な商品Ｊ，…それぞれの商品コードのバーコード入力作業と該商品Ｊの撮影作業を繰り返すだけで、誰でも上手に素早く商品Ｊの画像データを撮影でき、非常に簡単に商品コードに商品画像データを対応付けた商品管理データを生成できるようになる。
【０１０９】
　また、前記構成の商品画像データ処理装置によれば、前記商品Ｊ，…それぞれの撮影による商品管理データ生成の前に、全ての商品Ｊ，…それぞれの商品コードをハンドスキャナ３０により順次バーコード入力して商品別データメモリ８５ａにおいて商品管理データの生成対象となる商品インデックスを予め作成し、この後の商品撮影による商品コードに対応付けた商品別データメモリ８５ａでの撮影画像データの登録の際には撮影済みフラグを「未」から「済」にセットすることで、未撮影の商品Ｊを容易に検索できるので、バーコード入力した商品全ての商品管理データを漏れなく生成して登録できるようになる。
【０１１０】
　また、前記構成の商品画像データ処理装置によれば、デジタルカメラ１２を天面撮影用のアングルに設定して撮影ボックス１１の天井に取り付けた鏡５２に反射させてステージ１７上に置かれた商品Ｊの天面の画像データを撮影した際には、この天面撮影の画像データは上下反転されて取り込まれ画像データメモリ８５ｄに記憶されるので、鏡５２の反射による天面撮影を行なっても、撮影画像が逆転されたまま記憶されるのを防止できるようになる。
【０１１１】
　また、前記構成の商品画像データ処理装置によれば、前記学習データメモリ８５ｃに記憶された商品Ｊのフォト分類種別コードに対応する各撮影条件の制御位置データに従って、当該商品Ｊの撮影条件を最適に制御設定する際に、個々の撮影条件に関する制御位置データを微調整した際には、この微調整後の新たな制御位置データが新規の撮影条件として学習データメモリ８５ｃの空きエリアに登録されるので、実際の撮影処理の段階でも、学習データメモリ８５ｃに既に存在する学習データとは異なる新たな学習データを追加して登録できるようになる。
【０１１２】
　また、前記構成の商品画像データ処理装置によれば、ステージ１７の裏側に取り付けた計量用圧電素子６９により商品Ｊの重量が計測されてパーソナルコンピュータ（ＰＣ）１３に送られると共に、前記ステージ１７上に一体結合した採寸用台座７１により商品Ｊの撮影位置のセンタリングに伴ない幅寸法Ｗが計測され、この計測幅寸法Ｗと商品Ｊの撮影画像から得られる縦横方向の座標比とに基づき高さ寸法Ｈが算出されてパーソナルコンピュータ（ＰＣ）１３に送られ、前記商品別データメモリ８５ａに対してバーコード入力された商品コードと該商品Ｊの撮影画像データとに対応付けられて記憶されるので、商品重量や商品サイズをマニュアル入力することなく、商品撮影による画像の取り込みと共に商品管理データとして登録できるようになる。
【０１１３】
　なお、前記各実施形態において記載した手法、すなわち、図１２のフローチャートに示す学習処理、図１３の処理に示す検品処理、図１４〜図１７のフローチャートに示す計量・採寸・撮影処理、図１８のフローチャートに示す未撮影商品撮影処理等の各手法は、コンピュータに実行させることができるプログラムとして、メモリカード（ＲＯＭカード、ＲＡＭカード等）、磁気ディスク（フロッピー（登録商標）ディスク、ハードディスク等）、光ディスク（ＣＤ−ＲＯＭ、ＤＶＤ等）、半導体メモリ等の記憶媒体（外部記録媒体）８３に格納して配布、あるいは通信回線８４を介して伝送することができる。そして、コンピュータは、この記憶媒体８３に記録されたプログラムや通信回線８４を介して伝送されたプログラムを記憶装置８２において読み込み、この読み込んだプログラムによって動作が制御されることにより、前記実施形態において説明した商品管理データの作成機能を実現し、前述した手法による同様の処理を実行することができる。
【図面の簡単な説明】
【０１１４】
【図１】本発明の実施形態に係わる商品画像データ処理装置の全体の構成を示す図。
【図２】前記商品画像データ処理装置の照明ボックスが取り付けられる照明回動機構の構成を示す部分断面図。
【図３】前記商品画像データ処理装置の撮影ボックスにおける商品Ｊの撮影状態を示す側断面図。
【図４】前記商品画像データ処理装置の撮影ボックスに設けられたステージの構成を示す図であり、同図（Ａ）は平面外観図、同図（Ｂ）は側面外観図、同図（Ｃ）は縦断面図。
【図５】前記商品画像データ処理装置のステージ上に着脱される採寸用台座の構成を示す図。
【図６】前記商品画像データ処理装置のパーソナルコンピュータ（ＰＣ）を中心とする電子回路の構成を示すブロック図。
【図７】前記パーソナルコンピュータ（ＰＣ）のＲＡＭにおけるデータメモリの構成を示す図。
【図８】前記パーソナルコンピュータ（ＰＣ）のＲＡＭに確保されるフォト分類コードメモリのデータ内容を示す図。
【図９】前記パーソナルコンピュータ（ＰＣ）のＲＡＭに確保される学習データメモリのデータ内容を示す図。
【図１０】前記パーソナルコンピュータ（ＰＣ）のＲＡＭに確保される商品別データメモリのデータ内容を示す図。
【図１１】前記パーソナルコンピュータ（ＰＣ）のＲＡＭに確保される画像データメモリのデータ内容を示す図。
【図１２】前記商品画像データ処理装置における学習処理をフローチャート。
【図１３】前記商品画像データ処理装置における検品処理を示すフローチャート。
【図１４】前記商品画像データ処理装置における撮影処理を示すフローチャート。
【図１５】前記商品画像データ処理装置における撮影処理に伴なう自動採寸処理を示すフローチャート。
【図１６】前記商品画像データ処理装置における撮影処理に伴なうシャッタ処理を示すフローチャート。
【図１７】前記商品画像データ処理装置における撮影処理に伴なう撮影済対応処理を示すフローチャート。
【図１８】前記商品画像データ処理装置における未撮影商品確認処理を示すフローチャート。
【符号の説明】
【０１１５】
　１１…撮影ボックス、
　１２…デジタルカメラ、
　１３…パーソナルコンピュータ（ＰＣ）、
　１４…ボックス本体、
　１５…撮影フード、
　１６…照明ボックス、
　２９…入力装置、
　３０…ハンドスキャナ、
　３１…表示装置、
　３２…印刷装置、
　８１…制御部（ＣＰＵ）、
　８２…記憶装置、
　８３…記憶媒体（外部記録媒体）、
　８５…ＲＡＭ、
【図１】
2004032818.tif 000003
【図２】
2004032818.tif 000004
【図３】
2004032818.tif 000005
【図４】
2004032818.tif 000006
【図５】
2004032818.tif 000007
【図６】
2004032818.tif 000008
【図７】
2004032818.tif 000009
【図８】
2004032818.tif 000010
【図９】
2004032818.tif 000011
【図１０】
2004032818.tif 000012
【図１１】
2004032818.tif 000013
【図１２】
2004032818.tif 000014
【図１３】
2004032818.tif 000015
【図１４】
2004032818.tif 000016
【図１５】
2004032818.tif 000017
【図１６】
2004032818.tif 000018
【図１７】
2004032818.tif 000019
【図１８】
2004032818.tif 000020